(57)【要約】【課題】本発明は、廉価で且つ構造が簡単である電子装置を提供することを目的とする。【解決手段】本発明に係る電子装置は、ハウジング、ハウジングに設けられている複数のボタン及びハウジングの内表面に固定されるキーパッドを備える。キーパッドの少なくとも１つの側辺には、少なくとも１つの切欠口部が設けられ、ハウジングの内表面には、少なくとも１つの切欠口部に対応する少なくとも１つの係合部が設けられ、係合部は、互いに連接する第一当接板及び第二当接板を備え、第二当接板は、切欠口部に位置してキーパッドがハウジングの内表面に沿って移動することを防止し、第一当接板は、キーパッドがハウジングの内表面に垂直する方向に沿って移動することを防止し、キーパッドの他の側辺は、ネジによってハウジングの内表面に固定される。【選択図】図２
2013239174.tif 000002
【特許請求の範囲】
【請求項１】
ハウジング、前記ハウジングに設けられている複数のボタン及び前記ハウジングの内表面に固定されるキーパッドを備える電子装置において、
前記キーパッドの少なくとも１つの側辺には、少なくとも１つの切欠口部が設けられ、
前記ハウジングの内表面には、前記少なくとも１つの切欠口部に対応する少なくとも１つの係合部が設けられ、前記係合部は、互いに連接する第一当接板及び第二当接板を備え、前記第二当接板は、前記切欠口部に位置して前記キーパッドが前記ハウジングの内表面に沿って移動することを防止し、前記第一当接板は、前記キーパッドが前記ハウジングの内表面に垂直する方向に沿って移動することを防止し、
前記キーパッドの他の側辺は、ネジによって前記ハウジングの内表面に固定されることを特徴とする電子装置。
【請求項２】
前記キーパッドは、長方形を呈し、且つ第一側辺と、前記第一側辺に隣接する第二側辺と、前記第二側辺に隣接し且つ前記第一側辺に対向する第三側辺と、前記第三側辺及び前記第一側辺に隣接し且つ前記第二側辺に対向する第四側辺と、を備え、前記第一側辺及び前記第二側辺には、少なくても１つの切欠口部がそれぞれ設けられていることを特徴とする請求項１に記載の電子装置。
【請求項３】
前記キーパッドの第一側辺には、３つの切欠口部が設けられ、前記キーパッドの第二側辺には、２つの切欠口部が設けられていることを特徴とする請求項２に記載の電子装置。
【請求項４】
前記キーパッドの第三側辺には、少なくとも１つの貫通孔が設けられ、前記キーパッドの第四側辺には、少なくとも１つの貫通孔が設けられ、前記ハウジングの内表面には、それぞれ前記貫通孔に対応するようにネジ孔が設けられていることを特徴とする請求項２又は３に記載の電子装置。
【発明の詳細な説明】
【技術分野】
【０００１】
本発明は、電子装置に関し、特にキーパッドを備えた電子装置に関するものである。
【背景技術】
【０００２】
携帯式電子装置の発展に伴い、ハードウェアの簡単な組み立てが要求されている。例えば、キーパッドの組み立てにおいて、通常のキーボードは、ネジによって電子装置の底壁に固定される。具体的には、先ず、電子装置の底面を上方に向けた後、キーパッドをキーベースに放置して、底面からネジをねじ込んで該キーパッドを固定させる。
【０００３】
図７を参照すると、矩形のキーパッド４００は、４つの側辺を有する。通常、該４つの側辺にネジ５００をねじ込んで、キーパッド４００を電子装置のハウジング内に固定させる。例えば、図７に示したように、９つのネジ５００を利用してキーパッド４００を固定する。しかし、このような固定方式は、固定過程が複雑で、且つ別の工具が必要であるので、組み立てが不便であり、且つ複数のネジを必要とすることからコストが高くなる。
【発明の概要】
【発明が解決しようとする課題】
【０００４】
以上の問題点に鑑みて、本発明は、廉価で且つ構造が簡単である電子装置を提供することを目的とする。
【課題を解決するための手段】
【０００５】
前記課題を解決するために、本発明に係る電子装置は、ハウジング、前記ハウジングに設けられている複数のボタン及び前記ハウジングの内表面に固定されるキーパッドを備える。前記キーパッドの少なくとも１つの側辺には、前記少なくとも１つの切欠口部が設けられ、前記ハウジングの内表面には、少なくとも１つの切欠口部に対応する少なくとも１つの係合部が設けられ、前記係合部は、互いに連接する第一当接板及び第二当接板を備え、前記第二当接板は、前記切欠口部に位置して前記キーパッドが前記ハウジングの内表面に沿って移動することを防止し、前記第一当接板は、前記キーパッドが前記ハウジングの内表面に垂直する方向に沿って移動することを防止し、前記キーパッドの他の側辺は、ネジによって前記ハウジングの内表面に固定される。
【発明の効果】
【０００６】
本発明に係る電子装置において、キーパッドは、第一係合部、第二係合部及びネジによって上部ハウジングに固定される。従って、使用するネジの数を減らすことができるので、装着過程が簡単になり、且つコストも削減することができる。
【図面の簡単な説明】
【０００７】
【図１】本発明に係る電子装置を示す図である。
【図２】図１に示した電子装置の上部ハウジングの背面の内部構造を示す図である。
【図３】図１に示した電子装置のキーパッドの構造を示す図である。
【図４】図３に示したキーパッドが上部ハウジングの背面に装着されている状態を示す図である。
【図５】図２におけるＶ部の拡大図である。
【図６】図２におけるＶＩ部の拡大図である。
【図７】従来のキーパッドが電子装置に装着されている状態を示す図である。
【発明を実施するための形態】
【０００８】
以下、図面に基づいて、本発明に係る電子装置について詳細に説明する。
【０００９】
図１を参照すると、電子装置１００は、ベース１０と、ヒンジ（図示せず）を介してベース１０の一側に回転可能に装着されているカバー２０と、を備える。ベース１０は、上部ハウジング１１、下部ハウジング１２及び複数のボタン２２を備える。各ボタン２２の頂部２２１は、上部ハウジング１１の外表面１１１から突出している。
【００１０】
図２は、電子装置１００の上部ハウジング１１の背面の内部構造を示す図であり、図３は、電子装置１００のキーパッド４０の構造を示す図である。また、図４は、キーパッド４０が、上部ハウジング１１の背面（つまり、内表面１１２）に装着された状態を示す図である。図２から図４を参照すると、キーパッド４０は、上部ハウジング１１の内表面１１２に装着（固定）され、且つ複数のボタン２２の下方に位置する。従って、ユーザが上部ハウジング１１の外表面１１１から突出したボタン２２の頂部２２１を押圧すると、ボタン２２の底部２２２がキーパッド４０におけるスイッチ（図示せず）をオンにして、相応する信号を電子装置１００の処理器（図示せず）に伝送する。
【００１１】
キーパッド４０は、長方形を呈し、且つ第一側辺４１と、該第一側辺４１に隣接する第二側辺４２と、該第二側辺４２に隣接し且つ前記第一側辺４１に対向する第三側辺４３と、該第三側辺４３及び前記第一側辺４１に隣接し且つ前記第二側辺４２に対向する第四側辺４４と、を備える。キーパッド４０の第一側辺４１には、複数の第一切欠口部４１１が設けられ、キーパッド４０の第二側辺４２には、少なくとも１つの第二切欠口部４２１が設けられている。キーパッド４０の第三側辺４３及び第四側辺４４には、貫通孔４５がそれぞれ設けられている。
【００１２】
上部ハウジング１１の内表面１１２には、複数の第一係合部３１３と、少なくとも１つの第二係合部３２３と、ネジ孔３０と、が設けられている。複数の第一係合部３１３は、それぞれ複数の第一切欠口部４１１に対応し、少なくとも１つの第二係合部３２３は、少なくとも１つの第二切欠口部４２１に対応し、ネジ孔３０は、貫通孔４５に対応する。ネジ５０を貫通孔４５に貫通させてネジ孔３０に螺合させることによって、キーパッド４０は、上部ハウジング１１の内表面１１２に固定される。
【００１３】
図５を併せて参照すると、第一係合部３１３は、Ｌ字形を呈し、且つ互いに垂直である第一当接板３１３１及び第二当接板３１３２を備える。第一当接板３１３１は、上部ハウジング１１の内表面１１２に平行し、第二当接板３１３２は、上部ハウジング１１の内表面１１２に対して垂直である。本実施形態において、第一係合部３１３の数は三つであり、且つ同一直線上に位置する。
【００１４】
図６を併せて参照すると、第二係合部３２３は、互いに垂直である第三当接板３２３１及び第四当接板３２３２を備える。第三当接板３２３１は上部ハウジング１１の内表面１１２に平行し、第四当接板３２３２は上部ハウジング１１の内表面１１２に対して垂直である。本実施形態において、第一係合部３１３の数は２つである。
【００１５】
キーパッド４０を上部ハウジング１１の内表面１１２に装着する場合、キーパッド４０の第二側辺４２の第二切欠口部４２１と第二係合部３２３とを位置合わせした後、第二側辺４２を第二係合部３２３の第四当接板３２３２に当接させる。続いて、キーパッド４０の第一側辺４１の第一切欠口部４１１と第一係合部３１３とを位置合わせした後、第一側辺４１を第一係合部３１３の第二当接板３１３２に当接させる。この時、第一係合部３１３の第二当接板３１３２は、第一切欠口部４１１内に位置し、第二係合部３２３の第四当接板３２３２は、第二切欠口部４２１内に位置する。第二当接板３１３２及び第四当接板３２３２は、キーパッド４０が、その長手方向及び幅方向に沿って移動することを防止する。第一当接板３１３１及び第三当接板３２３１は、キーパッド４０が、その厚さ方向に沿って移動して上部ハウジング１１の内表面１１２から離脱することを防止する。最後に、ネジ５０を利用して、キーパッド４０の第三側辺４３及び第四側辺４４を螺合して、キーパッド４０を上部ハウジング１１の内表面１１２に固定させる。
【００１６】
本実施形態において、キーパッド４０に貫通孔４５を設け、且つ上部ハウジング１１の内表面１１２の前記貫通孔４５に対応する箇所にネジ孔３０を設けて、ネジ５０を貫通孔４５から貫通させてネジ孔３０に螺合させて、キーパッド４０を上部ハウジング１１の内表面１１２に固定させる。
【００１７】
本発明に係る電子装置１００において、キーパッド４０は、第一係合部３１３、第二係合部３２３及びネジ５０によって上部ハウジング１１に固定される。従って、使用するネジ５０の数を減らすことができるので、装着過程が簡単になり、コストも削減することができる。
【００１８】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１９】
１００    電子装置
１０    ベース
１１    上部ハウジング
１１１    外表面
１１２    内表面
１２    下部ハウジング
２０    カバー
２２    ボタン
２２１    頂部
２２２    底部
３０    ネジ孔
３１３    第一係合部
３１３１    第一当接板
３１３２    第二当接板
３２３    第二係合部
３２３１    第三当接板
３２３２    第四当接板
４０、４００    キーパッド
４１    第一側辺
４１１    第一切欠口部
４２    第二側辺
４２１    第二切欠口部
４３    第三側辺
４４    第四側辺
４５    貫通孔
５０、５００    ネジ
【図１】
2013239174.tif 000003
【図２】
2013239174.tif 000004
【図３】
2013239174.tif 000005
【図４】
2013239174.tif 000006
【図５】
2013239174.tif 000007
【図６】
2013239174.tif 000008
【図７】
2013239174.tif 000009